(57)【要約】【課題】レンズの一部をカット又はレンズの径を小さくすることなく、また、第２キャリッジ９のキャリッジフレームの強度を低下させることなく、簡易な加工によってレンズの設置スペースを確保することができる画像読込装置を提供する。【解決手段】画像光を結像させるレンズ１０に面する側の第２キャリッジ９のキャリッジフレーム２０に、該レンズ１０の一部を収容する凹部２３を形成することを特徴とする。【選択図】図２
2009239790.tif 000002
【特許請求の範囲】
【請求項１】
筐体となる本体フレームに取り付けられてその上面に原稿が載置される原稿台ガラスと、該原稿台ガラス上の原稿に光を照射するランプ及び該原稿で反射した画像光の光路を折り曲げるミラーを有する第１キャリッジと、該第１キャリッジの半分の速度で走行され該第１キャリッジのミラーからの画像光の光路を反対方向に折り曲げるミラーを有する第２キャリッジと、該第２キャリッジ上のミラーを経た画像光を結像させるレンズと、該レンズで結像された画像光を受光する受光素子と、を具備する画像読込装置であって、
前記レンズに面する側の第２キャリッジのキャリッジフレーム端部には、レンズの一部を収容する凹部が形成されていることを特徴とする画像読込装置。
【請求項２】
前記第２キャリッジの凹部は、キャリッジフレームを絞り加工することにより形成されることを特徴とする請求項１記載の画像読込装置。
【請求項３】
前記第２キャリッジのキャリッジフレームに形成される凹部は、その中央部が平坦な段部となっていることを特徴とする請求項１または２記載の画像読込装置。
【請求項４】
画像読込装置にて原稿の画像データを取得し、該画像データに基づいて記録媒体に画像形成を行う画像形成装置であって、
前記画像読込装置として、請求項１〜３いずれかに記載の画像読込装置を用いることを特徴とする画像形成装置。
【発明の詳細な説明】
【技術分野】
【０００１】
本発明は、コピー、スキャナーなどに使用される画像読込装置及び該画像読込装置を備える画像形成装置に関するものである。
【背景技術】
【０００２】
従来、この種の画像読込装置として、特許文献１に示される技術が知られている。この特許文献１に示される画像読込装置１は、図５に示されるように、本体フレーム２上に設けられてその上面に原稿Ｐが載置される原稿台ガラス３と、該原稿台ガラス３上の原稿Ｐに光を照射するキセノンランプ４及び該原稿Ｐで反射した画像光の光路を折り曲げるミラー５を有する第１キャリッジ６と、該第１キャリッジ６の半分の速度で走行され該第１キャリッジ６のミラー５からの画像光の光路を反対方向に折り曲げるミラー７、８を有する第２キャリッジ９と、該第２キャリッジ９上のミラー７、８を経た画像光を結像させるレンズ１０と、結像された画像光を読み取るＣＣＤ１１と、を具備する。そして、このような画像読込装置１では、原稿Ｐの画像を読み取る際には、第１キャリッジ６及び第２キャリッジ９を矢印Ａ−Ｂ方向に走査しつつ、原稿台ガラス３上に載置された原稿Ｐを、キセノンランプ４によって照射し、該原稿Ｐの画像光の光路を第１キャリッジ６上のミラー５にて折り曲げる。第１キャリッジ６のミラー５を経た画像光は、第２キャリッジ９のミラー７、８にてその光路を反対方向に折り曲げながら、レンズ１０でＣＣＤ１１に結像させることで、該原稿Ｐの画像を受光して読み取る。また、第１キャリッジ６、第２キャリッジ９は図示しない駆動装置のワイヤにより２：１の速度比で駆動されることにより、原稿ＰからＣＣＤ１１までの光路長を常に一定に保ちながら当該原稿Ｐを走査する。
【特許文献１】特開２００１‐２９６６１７号公報
【発明の開示】
【発明が解決しようとする課題】
【０００３】
ところで、上記の画像読込装置１では、ハーフレートキャリッジとなる第２キャリッジ９に設けられたミラー７、８での光路変更によって、原稿Ｐの画像光をレンズ１０に導くという構成により、該第２キャリッジ９の移動経路内にレンズ１０を配置しなければならない場合がある。このため、これら第２キャリッジ９とレンズ１０との干渉を避けるために、例えばレンズ１０の一部をカットする、レンズ１０の径を小さくする、または第２キャリッジのキャリッジフレームを薄くしてレンズ１０の設置スペースを確保する必要がある。
【０００４】
しかしながら、上記の画像読込装置１において、レンズ１０の一部をカット又はレンズ１０の径を小さくするという加工は、追加工程又は高い加工技術が必要で、装置全体のコストアップ原因となるという問題がある。さらにレンズ１０の径を小さくすることに伴って、ランプ４の光量をアップさせた場合には、ランプ４自体が規格温度内に収まらないという問題や、内部の温度上昇対策のために別途、冷却装置を設ける必要があり、コストアップを招くという新たな問題も発生する。また、レンズ１０の設置スペース確保のために、第２キャリッジ９のキャリッジフレームの一部をカットすると、該キャリッジフレームが強度不足により変形して、ミラー７、８が位置ずれし、これによってレンズ１０による画像光の結像に支障が生じる事態も生じる。
【０００５】
本発明は、上述する問題点に鑑みてなされたもので、レンズの一部をカット又はレンズの径を小さくすることなく、また、第２キャリッジのキャリッジフレームの強度を低下させることなく、簡易な加工によってレンズの設置スペースを確保することが可能な画像読込装置の提供を目的とする。
【課題を解決するための手段】
【０００６】
上記課題を解決するために、本発明の画像読取装置は、筐体となる本体フレームに取り付けられてその上面に原稿が載置される原稿台ガラスと、該原稿台ガラス上の原稿に光を照射するランプ及び該原稿で反射した画像光の光路を折り曲げるミラーを有する第１キャリッジと、該第１キャリッジの半分の速度で走行され該第１キャリッジのミラーからの画像光の光路を反対方向に折り曲げるミラーを有する第２キャリッジと、該第２キャリッジ上のミラーを経た画像光を結像させるレンズと、該レンズで結像された画像光を受光する受光素子と、を具備する画像読込装置であって、上記レンズに面する側の第２キャリッジのキャリッジフレーム端部には、レンズの一部を収容する凹部が形成されていることを特徴とする。
【０００７】
また、本発明の画像読取装置においては、上記第２キャリッジの凹部は、キャリッジフレームを絞り加工することにより形成されるという構成を採用する。
【０００８】
また、本発明の画像読取装置においては、上記第２キャリッジのキャリッジフレームに形成される凹部は、その中央部が平坦な段部となっているという構成を採用する。
また、本発明の画像形成装置は、画像読込装置にて原稿の画像データを取得し、該画像データに基づいて記録媒体に画像形成を行う画像形成装置であって、前記画像読込装置として、本発明の画像読込装置を用いることを特徴とする。
【発明の効果】
【０００９】
本発明では、レンズに面する側の第２キャリッジのキャリッジフレーム端部に、レンズの一部を収容する凹部を形成したので、該第２キャリッジが走査された際に、そのキャリッジフレームの凹部内にレンズの一部が収容されることで、これら第２のキャリッジとレンズとの衝突が回避される。その結果、従来のようにレンズの一部をカット又はレンズの径を小さくすることなく、また、第２キャリッジのキャリッジフレームをカットしたり薄くすることなく、簡易な加工によってレンズの設置スペースを確保することができるため、キャリッジフレームの強度が低下することを防止することができる。
【発明を実施するための最良の形態】
【００１０】
以下、図面を参照して、本発明に係る画像読込装置及び画像形成装置の一実施形態について説明する。なお、以下の図面において、各部材を認識可能な大きさとするために、各部材の縮尺を適宜変更している。
【００１１】
（画像読込装置）
図１は画像読込装置１００の全体を示す斜視図であって、基本構成は、図５に示す画像読込装置１と同じであり、構成を共通とする箇所に同一符号を付して重複した説明を省略する。
すなわち、図１〜図４に示される画像読込装置１００においても、原稿の画像を読み取る際には、第１キャリッジ６及び第２キャリッジ９を、本体フレーム２の長さ方向である矢印Ａ−Ｂ方向に走査しつつ、原稿台ガラス３上に載置された原稿に、キセノンランプ（図示略）からの光を照射する。その後、原稿に光を照射することにより得られた画像光は、その光路が第１キャリッジ６上のミラー５にて折り曲げられた後、第２キャリッジ９のミラー７・８（後述する）にて折り曲げられ、その進行方向が転換される。その後、当該画像光は、レンズ１０によりＣＣＤ１１に結像され、該ＣＣＤ１１にてその画像データが読み取られる。
また、第１キャリッジ６、第２キャリッジ９は、図示しない駆動装置のワイヤにより２：１の速度比で駆動されることにより、原稿からＣＣＤ１１までの光路長を常に一定に保ちながら当該原稿を走査する。
【００１２】
次に、図１〜図３を参照して本発明に係る第２キャリッジ９の要部構成について説明する。この第２キャリッジ９は、筐体となるキャリッジフレーム２０と、該キャリッジフレーム２０上に設けられて第１キャリッジ６からの画像光の光路を折り曲げるミラー７・８と、該キャリッジフレーム２０の側部に設けられたプーリ２１・２２と、を有するものであって、これらプーリ２１・２２には、駆動装置の駆動モータ（図示略）に接続されるワイヤ（図示略）が巻回されている。そして、駆動装置の駆動モータによってワイヤが駆動された場合に、プーリ２１・２２の回転とともに、キャリッジフレーム２０が本体フレーム２の長さ方向（矢印Ａ−Ｂ方向）に沿うように走行される。
【００１３】
また、第２キャリッジ９の走行経路の下方位置であり、かつ本体フレーム２上には、ＣＣＤ１１に画像光を結像させるためのレンズ１０が設けられている。このレンズ１０は、第２キャリッジ９の走行経路の矢印Ｂ側末端位置にて、その受光面が矢印Ａ側に向くように配置されるとともに、その軸心が、本体フレーム２の長さ方向（矢印Ａ−Ｂ方向）に沿うように配置されるものであって、第２キャリッジ９上のミラー７、８を通じて矢印Ｂ方向に向けて供給される画像光を、ＣＣＤ１１に対して結像させる役割がある。
【００１４】
また、レンズ１０に面する側の第２キャリッジ９のキャリッジフレーム２０には、図２及び図３に示すように、レンズ１０の一部を収容する凹部２３が形成されている。この凹部２３は、レンズ１０に面する側（符号２０Ａで示す）のキャリッジフレーム２０であり、かつレンズ１０側に位置する該キャリッジフレーム２０の縁部２０Ｂに設けられているものであって、その中央部が上方側に突出する平坦な段部２３Ａになっている。この凹部２３の段部２３Ａは、上方側に突出するように形成されているものであって、キャリッジフレーム２０が矢印Ｂ方向に沿う移動範囲末端部にまで移動した場合に、その段部２３Ａ内の凹状空間（符号２３Ｂで示す）内に、前述したレンズ１０の上部が収容されるようになっている。なお、このキャリッジフレーム２０の凹部２３は、該キャリッジフレーム２０を絞り加工することにより形成される。
【００１５】
なお、上記画像読込装置１００では、第２キャリッジ９のキャリッジフレーム２０に形成される凹部２３を、その中央部が平坦な段部２３Ａとしたが、これに限定されず、図４に示すように、レンズ１０の形状に合わせて円弧状とすることにより、キャリッジフレーム２０とレンズ１０との衝突を回避しても良い。すなわち、凹部２３は、平坦な形状であっても、円弧状であっても良く、レンズ１０との衝突を回避できればその形状は限定されない。
【００１６】
以上説明したように本実施形態に示される画像読込装置１００では、レンズ１０に面する側に位置する第２キャリッジ９のキャリッジフレーム２０端部に、レンズ１０の一部を収容する凹部２３を形成したので、該第２キャリッジ９が走査された際に、そのキャリッジフレーム２０の凹部２３内にレンズ１０の一部が収容されることで、これら第２のキャリッジとレンズ１０との衝突が回避される。また、このような第２のキャリッジ９とレンズ１０との衝突を、該第２キャリッジ９のキャリッジフレーム２０に形成した凹部２３によって行うようにしたので、レンズ１０の一部をカットまたはレンズ１０の径を小さくすることなく、簡易な加工によってレンズ１０の設置スペースを確保することができる。
また、第２キャリッジ９のキャリッジフレーム２０をカットしたり薄くする必要がなく、キャリッジフレーム２０の強度を維持することができ、該キャリッジフレーム２０上のミラー位置にずれを発生させず、画像光の結像を確実に行うことができる。
【００１７】
また、本実施形態の画像読込装置１００では、第２キャリッジ９のキャリッジフレーム２０を絞り加工することにより、該キャリッジフレーム２０に簡単に凹部２３を形成することができ、その加工を容易に行うことができる。
【００１８】
また、本実施形態の画像読込装置１００では、第２キャリッジ９のキャリッジフレーム２０に形成される凹部２３を、その中央部が平坦な段部２３Ａとしたことから、該キャリッジフレーム２０を安定形状とすることができ、該キャリッジフレーム２０の強度を十分に保つことができる。
【００１９】
（画像形成装置）
次に、図６を参照して上記画像読取装置を備える画像形成装置について説明する。なお、以下の説明においては、画像形成装置の一例として複写機を挙げて説明するが、本発明はこれに限られるものではなく、例えば、プリンタ、ファクシミリ及び複合機等の画像形成装置に適用することができる。
【００２０】
図６は、本実施形態における複写機１０００を示す斜視図である。
複写機１０００は、図６に示すように、原稿の画像を読み取る画像読取装置２００と、画像読取装置２００の原稿読取位置に原稿を給送する自動原稿送り装置３００と、画像が形成される印刷用紙（記録媒体）を収納する用紙カセット４００と、複写機１０００を操作する操作装置５００とを有する構成となっている。そして、画像読取装置２００として、上記実施形態の画像読取装置１が用いられている。
また、複写機１の内部には、画像読取装置２００で読み取った画像を記憶する画像記憶部と、記憶された画像を画像処理する画像処理部と、画像処理されたデータを基に印刷処理（画像形成）をする印刷部と、複写機１０００の全体動作を制御する制御部とを備える構成となっている。
【００２１】
画像読取装置２００は、例えば、原稿の画像を読み取るＣＣＤ（Charge Coupled Device）ラインセンサ等を備えるスキャナーを有する構成となっており、制御部の制御の下、自動原稿送り装置３００から供給された原稿の画像をスキャナーで読み取り、原稿画像の形状や色彩等の画像データを画像記憶部に出力する構成となっている。
【００２２】
画像記憶部は、ハードディスク等の外部記憶装置或いは／及び半導体メモリ等から構成されており、制御部の制御の下、画像読取装置２００から入力された画像データを書き込み記憶すると共に、当該画像データを読み出して画像処理部へ出力する構成となっている。
【００２３】
画像処理部は、制御部の制御の下、画像記憶部から入力された原稿の画像データ（ＲＧＢ型式画像データ）に各種の画像処理を施すと共に、当該画像処理によって生成された画像データ（ＲＧＢ型式画像データ）を印刷形式の画像データ（ＣＭＹＫ型式画像データ）に変換して印刷部に出力するものである。
【００２４】
印刷部は、制御部の制御の下、用紙カセット３００に収納された印刷用紙を搬送しつつ当該印刷用紙にトナーを付着させることにより、画像処理部から入力された画像データに基づいて印刷用紙に画像を形成するものであり、感光ドラム、露光装置、定着装置等を備える構成となっている。
【００２５】
制御部は、ＣＰＵ（Central Processing Unit）、ＲＯＭ（Read Only Memory）やＲＡＭ（Random Access Memory）等の内部メモリから成る電子部品及び電子回路等、並びに各種構成機器とのデータ授受を行う入出力インターフェース回路等から構成されている。
【００２６】
このような本実施形態の複写機１０００によれば、上記画像読取装置２００にて上述の画像読取装置１と同様の効果を奏する。
【００２７】
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２８】
【図１】本発明の一実施形態に係る画像読込装置を示す斜視図である。
【図２】本発明の一つ実施形態に係る画像読込装置が備える第２キャリッジを示す斜視図である。
【図３】図２をＩＩＩ−ＩＩＩ線に沿うように切断した第２キャリッジの凹部の断面図である。
【図４】本発明の一実施形態に係る画像読込装置が備える凹部の他の態様を示す斜視図である。
【図５】従来の画像読込装置を示す概略構成図である。
【図６】本発明の一実施形態に係る画像形成装置である複写機の斜視図である。
【符号の説明】
【００２９】
２……本体フレーム、３……原稿台ガラス、４……キセノンランプ、５……ミラー、６……第１キャリッジ、７……ミラー、８……ミラー、９……第２キャリッジ、１０……レンズ、１１……ＣＣＤ（受光素子）、２０……キャリッジフレーム、２３……凹部、２３Ａ……段部、１００……画像読込装置、１０００……複写機、２００……画像読込装置
【図１】
2009239790.tif 000003
【図２】
2009239790.tif 000004
【図３】
2009239790.tif 000005
【図４】
2009239790.tif 000006
【図５】
2009239790.tif 000007
【図６】
2009239790.tif 000008